(57)【特許請求の範囲】
【請求項１】
特にビデオ及び／又はオーディオ情報の、情報の表示及び／又は再生の、選択及び／又は制御が可能な制御回路と、
記録担体の再生中にナビゲーションパラメータの蓄積を行うパラメータメモリとを有する光学的記録担体にディジタル的に蓄積された情報の再生装置であって、
装置は、制御回路によって制御される第１の不揮発性メモリを有し、
該第１の不揮発性メモリは、ナビゲーションパラメータの時間シーケンスを蓄積するために設けられ、
前記第１の不揮発性メモリは、再生過程の前記ナビゲーションパラメータの変化の時間履歴を当該装置のユーザに利用可能にし、それによって、前記ナビゲーションパラメータの前記時間履歴を参照して前記記録担体の再生過程の評価及び解析を可能とする、ことを特徴とする装置。
【請求項２】
前記第１の不揮発性メモリから、前記ナビゲーションパラメータの時間シーケンスを読み出すインターフェースが設けられていることを特徴とする請求項１記載の装置。
【請求項３】
前記第１の不揮発性メモリは、前記ナビゲーションパラメータの時間シーケンスが順次書き込まれる連続な循環バッファメモリであることを特徴とする請求項１記載の装置。
【請求項４】
前記第１の不揮発性メモリは、メモリフィールドが個々にアドレス可能なアドレスメモリであることを特徴とする請求項１記載の装置。
【請求項５】
前記ナビゲーションパラメータは、所定の時間間隔で、及び／又は各再生過程の最後で、及び／又は前記ナビゲーションパラメータの変更時に、前記第１の不揮発性メモリに蓄積されることを特徴とする請求項１記載の装置。
【請求項６】
当該装置は、前記制御回路によって制御され得る第２の不揮発性メモリを有し、
該第２の不揮発性メモリはナビゲーションパラメータを蓄積し、
該ナビゲーションパラメータは記録担体識別情報と共に前記第２の不揮発性メモリに蓄積されて、関連する記録担体に前記ナビゲーションパラメータを割り当てることを可能とし、
前記記録担体の再生過程の開始時に、前記記録担体に割り当てられたナビゲーションパラメータは前記第２の不揮発性メモリから読み出し可能であり、且つ、前記パラメータメモリへ書き込み可能であることを特徴とする請求項１記載の装置。
【請求項７】
当該装置は、ＤＶＤ（Ｄｉｇｉｔａｌ  Ｖｉｄｅｏ  Ｄｉｓｃ，ディジタルビデオディスク）規格に従った記録担体を再生するＤＶＤ装置であり、ＤＶＤ規格に基づいた一般パラメータが、ナビゲーションパラメータとして前記第１の不揮発性メモリに蓄積されることを特徴とする請求項１記載の装置。
【請求項８】
当該装置は、ＨＱ−ビデオＣＤＨｉｇｈ  Ｑｕａｌｉｔｙ  Ｖｉｄｅｏ  Ｃｏｍｐａｃｔ  Ｄｉｓｃ，ハイクオリティビデオコンパクトディスク）規格に従った記録担体を再生するＨＱ−ビデオＣＤ置であり、ＨＱ−ビデオＣＤ規格に基づいたユーザパラメータが、ナビゲーションパラメータとして前記第１の不揮発性メモリに蓄積されることを特徴とする請求項１記載の装置。
【請求項９】
記録担体の応用に関するユーザの動作の解析のための請求項１記載の装置の使用。
【請求項１０】
記録担体の応用に関する故障調査のための請求項１記載の装置の使用。
【発明の詳細な説明】
【０００１】
【発明の属する技術分野】
本発明は、記録担体にディジタル的に蓄積された情報の再生装置に関し、特にビデオ及び／又はオーディオ情報の、情報の表示及び／又は再生の、選択及び／又は制御が可能な制御回路と、記録担体の再生中にナビゲーションパラメータの蓄積を行うパラメータメモリとを有する。
【０００２】
【従来の技術】
この種の装置は、例えば、ＷＯ９８／０９２９０より知られている。この知られた装置は、ディジタルビデオ記録担体の再生を行う。オーディオ及び／又はビデオプログラムの表示を制御するために、知られた装置はナビゲーションコマンドとナビゲーションパラメータを有する。一般に、それらのパラメータは、再生過程中に再生装置により情報が蓄積されるナビゲーションパラメータであると理解される。ナビゲーションパラメータは、例えば、所定の関数が割り当てられるパラメータと、供給者により自由に使用されるパラメータとを有し、例えば、再生装置の動作の変更に使用でき、また、ユーザの行った操作、決定及び／又は要請の蓄積に使用できる。ナビゲーションコマンドとナビゲーションパラメータは、異なった作品構造を作るための供給者の基礎である。供給者は、ナビゲーションコマンドとナビゲーションパラメータを、例えば、所定のビデオプログラムに子供がアクセスするのを防ぐパレンタル制御システムを利用する等の、再生状態の調整又は、変更に使用できる。
【０００３】
供給者は、ナビゲーションコマンドとナビゲーションパラメータによって、  作品内に、単純な又は、複雑な分岐構造を定義できる。
ＨＱ−ビデオＣＤ（Ｈｉｇｈ  Ｑｕａｌｉｔｙ  Ｖｉｄｅｏ  ＣｏｍｐａｃｔＤｉｓｃ）規格に基づいた記録担体のナビゲーションパラメータは、記録担体の再生過程の開始又は、終了時に未定義である。
【０００４】
【発明が解決しようとする課題】
本発明の目的は、記録担体の再生過程の評価が可能な、最初に述べた型の装置を提供することである。
【０００５】
【課題を解決するための手段】
本発明によれば、この目的は、制御回路によって制御される第１の不揮発性メモリを有し、第１の不揮発性メモリは、ナビゲーションパラメータを蓄積するために設けられた装置によって解決される。
ナビゲーションパラメータの時間シーケンスの不揮発性メモリは、１つ又は、それ以上の再生過程のナビゲーションパラメータの変化についての、装置のユーザが電子的に利用できる時間履歴を作成することを可能とする。これにより、ナビゲーションパラメータの時間的変化を参照して、記録担体の１つ又は、それ以上の再生過程の評価及び、解析を可能とする。記録されたナビゲーションパラメータによって、記録担体の再生過程の間のユーザの動作が解析されることができる。
【０００６】
請求項２に記載された本発明の優位な実施例に従って、第１の不揮発性メモリに蓄積されたナビゲーションパラメータは、インターフェースによって装置から読み出される。インターフェースの例としては、ＲＳ−２３２インターフェースが挙げられる。インターフェースによって読まれたナビゲーションパラメータは例えば、コンピュータにより、更に処理され解析される。
【０００７】
請求項３に記載された本発明の優位な実施例は、第１の不揮発性メモリを特に簡単に実現することができる。なぜなら、第１の不揮発性メモリの個々のメモリフィールドには、個々のアドレスが設けられる必要がないからである。ナビゲーションパラメータは時間的に順次第１の不揮発性メモリに書き込まれる。新しい書き込み動作毎に、ナビゲーションパラメータは更に下のメモリ位置に既に移動されて蓄積され、一方、蓄積されるべき新しいナビゲーションパラメータは、第１の不揮発性メモリの上方のフィールドに蓄積される。第１の不揮発性メモリの下方のメモリフィールドに存在するナビゲーションパラメータは好ましくは、次の書きこみ動作時に消去される。ナビゲーションパラメータのＮ個のメモリ位置を有する第１の不揮発性メモリは、最後のＮ個のナビゲーションパラメータが蓄積される。
【０００８】
請求項４に記載された本発明の優位な実施例に従って、第１の不揮発性メモリの個々のメモリフィールドは、個々にアドレス可能である。そのようなメモリでは、ナビゲーションパラメータは、アドレスと共に設けられらメモリフィールドに、アドレス識別子によって蓄積できる。新しいナビゲーションパラメータの蓄積と、古いナビゲーションパラメータの消去は、ソフトウェアアルゴリズムによって実行され得る。そのようなメモリは、新しいナビゲーションパラメータを蓄積するときに、第１の不揮発性メモリの１つのメモリフィールドのみが変更される。
【０００９】
請求項５によって、第１の不揮発性メモリにナビゲーションパラメータを蓄積する時間シーケンスが、実現され得る。応用やユーザの意思に依存し、ナビゲーションパラメータのその他の瞬間又は、結果もまた、画定され得る。
請求項６に記載された本発明の優位な実施例に従って、ナビゲーションパラメータが蓄積される第２の不揮発性メモリが、第１の不揮発性メモリに加えて設けられる。第２の不揮発性メモリには、例えば、関連した記録担体にナビゲーションパラメータを明白に割り当てできる記録担体識別番号等の記録担体識別情報がナビゲーションパラメータとともに設けられる。第２の不揮発性メモリには、最終結果、即ち、再生過程の最後の現在のナビゲーションパラメータが蓄積されるのが好ましい。これにより、異なった再生過程間で、情報の交換が可能となる。情報の交換は、１つの及び、同じ記録担体の異なった再生過程間で実現され得る。第１の記録担体の再生ナビゲーションパラメータを第２の記録単体の再生のために使用することも可能である。これは、練習コース等の幾つかの記録担体を有する連続ものの記録担体に対して特に有利である。
【００１０】
再生過程の開始時に、制御回路によって、関連する記録担体に、記録担体識別情報が設けられているかどうかが検査される。
関連する記録担体に、記録担体識別情報が設けられている場合には、制御回路は、この記録担体識別情報に対応するナビゲーションパラメータが第１の不揮発性メモリに蓄積されているかどうかが検査される。蓄積されている場合には、第２の不揮発性メモリからナビゲーションパラメータが読み出され、パラメータメモリに書きこまれ、記録担体の後の再生過程で使用され得る。ＲＡＭメモリとレジスタメモリの両方がパラメータメモリとして使用され得る。
【００１１】
請求項７に記載された発明は、ＤＶＤ（ディジタルビデオディスク）ビデオ規格に基づいた装置に特に好適である。ＤＶＤビデオ規格に従って、各々２バイト長のナビゲーションパラメータとして、１６個の一般パラメータが設けられる。これらの一般パラメータは、ユーザの操作時の動作を蓄積し、影響を及ぼし、又は、再生装置の動作を制御するために、記録担体の供給者が利用できる。一般パラメータは、ナビゲーションコマンドによりアクセスできる。一般パラメータを第１及び／又は第２の不揮発性メモリに蓄積することにより、記録担体の再生過程についての情報が蓄積できる。この情報は、同じ記録担体の後の段階の再生で又は、他の記録担体の後の段階の再生で第２の不揮発性メモリからロードされ、そして、後の再生過程の基礎として使用される。
【００１２】
請求項８に記載されているように、本発明の装置は、ＨＱ−ビデオＣＤ規格（高品質ビデオコンパクトディスク、Ｈｉｇｈ  Ｑｕａｌｉｔｙ  Ｖｉｄｅｏ  Ｃｏｍｐａｃｔ  Ｄｉｓｃ）に基づいた装置に、特に好適である。ＨＱ−ビデオＣＤ規格に従って、各々２バイトの少なくとも１６ユーザパラメータがナビゲーションパラメータとして設けられる。本発明によれば、これらのユーザパラメータは第１の不揮発性メモリに蓄積され、後の段階の再生で利用できる。
【００１３】
ナビゲーションパラメータの時間シーケンスの蓄積は、好ましくは、記録担体応用に関して、ユーザ動作の解析を行うために使用され得る。特に練習や学習コースの記録担体の場合にはこれらの記録担体の再生中に、ユーザ動作を知ることは製造者にとって重要である。例えば、第１の不揮発性メモリにナビゲーションパラメータを蓄積することによって、どの練習や学習プログラムのモジュールがどのような頻度で、どのような順序で使用されるかを解析できる。多くのユーザのこれらのデータを評価することにより、関連する記録担体に蓄積された対応する練習や学習プログラムが改良できる。
【００１４】
応用の更なる有利な可能性は、例えば、ショッピングセンタや公共施設の情報システムに配置された装置のユーザの振舞いの解析である。例えば、ユーザ数、ユーザの質問の範囲及び、同様のものが、第１の不揮発性メモリに蓄積される。この情報は後の段階で，市場調査目的に評価され得る。
応用の更なる可能性は、例えば、新しい記録担体の故障調査である。記録担体に蓄積された応用が、故障または、欠陥があるときには、第１の不揮発性メモリに蓄積されたナビゲーションパラメータを基に簡単に見つけられ削除されることができる。
【００１５】
第１の不揮発性メモリの構造は、多くの方法で実現でき、ユーザの要求にあわすことができる。第１の不揮発性メモリに蓄積された情報には、記録担体識別情報が設けられている。従って、ナビゲーションパラメータの時間シーケンスは、１つ又は、幾つかの記録担体に割り当てもできる。
【００１６】
【発明の実施の形態】
図１は、光学的記録担体３にディジタル的に記録された情報を再生するために設けられた光学的レコードプレーヤ２を有する、光学的レコードプレーヤシステム１を示す。光学的記録担体３は、特にＤＶＤ規格に基づいた記録担体又は、ＨＱ−ビデオＣＤ規格に基づいた記録担体である。光学的記録担体３にディジタル的に記録された情報は、光学的読み出しユニット４によって読み出され復号器５に与えられる。復号器５は、更に誤り訂正が設けられる。復号され、誤り訂正されたデータは制御回路６に与えられる。
【００１７】
制御回路６は、ＲＡＭメモリ７、ＲＯＭメモリ８、第２の不揮発性メモリ９及び、第１の不揮発性メモリ１０と接続される。ＲＡＭメモリ７とＲＯＭメモリ８は、復号器５から制御回路６に与えられるデータストリームを制御し処理するために設けられる。第２の不揮発性メモリ９と第１の不揮発性メモリ１０は、ナビゲーションパラメータの不揮発性メモリとして設けられる。制御回路は更に、サーボ系１１と接続されている。サーボ系１１は、光記録担体の角速度ωと、光学的読み出しユニット４の光記録担体３のトラックに対する位置を制御する。これは破線の矢印ｒにより示される。更に、サーボ系１１は、破線の矢印ｆで示されるように、光学的読み出しユニット４の焦点を制御する。制御回路６は、関連する制御信号をサーボ系１１へ送る。
【００１８】
制御回路６は、また、復号部１２にも接続されている。復号部１２は、例えば、ＭＰＥＧ２規格に従って符号化されたオーディオ及び、ビデオデータを復号するために設けられる。復号部１２は、復号されたビデオデータをディスプレイ１３を供給し、また、復号されたオーディオデータをスピーカ又は、スピーカシステム１４へ供給する。外部装置との双方向データ交換のために、光学的レコードプレーヤ２は、双方向インターフェース１５を有する。キーボード１６、例えばディスクドライブ等の外部データメモリ１７や更なる外部装置は、双方向インターフェース１５に接続される。一方、例えば、キーボード１６を経由して与えられる外部データは、双方向インターフェース１５を介して光学的レコードプレーヤ２に与えられる。一方、内部データは、光学的レコードプレーヤ２から、例えば、外部データメモリ１７等の外部装置に与えられる。
【００１９】
制御回路６は、情報を仮に蓄積し、短いアクセス時間で情報を供給できるレジスタ６ａを内部に有する。
図２は、図１のレジスタ６ａ、第２の不揮発性メモリ９及び、第１の不揮発性メモリ１０の詳細例を示す図である。図２に示すメモリ要素は、ＤＶＤ規格に基づいて装置に対して大きさが決められている。ＤＶＤ規格に基づいて、各々２バイト長のナビゲーションパラメータとして、１６個の一般パラメータが使用できる。これらの一般パラメータは、例えば、ユーザの操作の動きを蓄積し、及び／又は各再生装置の動きを制御し又は、影響を及ぼすために光学的記録担体の供給者の標準として、利用できる。レジスタ６ａは、一般パラメータを蓄積する３２バイトのメモリフィールド６ｂを有する。第２の不揮発性メモリ９は、各々が３４バイトからなる５個のメモリフィールド９ａから９ｅを有する。個々のメモリフィールド９ａから９ｅは、各々２バイトの記録担体識別フィールド９ａ1 ，９ｂ1 ，９ｃ1 ，９ｄ1 及び、９ｅ1 と、ナビゲーションパラメータフィールド９ａ2 ，９ｂ2 ，９ｃ2 ，９ｄ2 ，及び、９ｅ2 を有する。ナビゲーションパラメータフィールド９ａ2 から９ｅ2 は、ＤＶＤ規格の一般パラメータを蓄積するために設けられている。記録担体識別フィールド９ａ1 から９ｅ1 は、蓄積された一般パラメータとこれらの一般パラメータに対応する関連する記録担体の間の割り当てを可能とする記録担体識別情報の蓄積を行う。第１の不揮発性メモリ１０は、連続した循環バッファメモリにより構成される。以下の実施例では、各々が３２バイトの７個のメモリフィールド１０ａ、１０ｂ、１０ｃ、１０ｄ、１０ｅ１０ｆ及び、１０ｇを有する。第１の不揮発性メモリ１０は、一般ナビゲーションパラメータの時間シーケンスを蓄積するために設けられる。関連する実施例では、第１の不揮発性メモリは、メモリを節約し、可能な限り単純な方法でメモリを実現するために、記録担体識別フィールドを有しない。しかし、複数の連続した循環メモリを設けることも可能であり、異なった記録担体の一般ナビゲーションパラメータの時間的な連続シーケンスも蓄積できるように記録担体識別フィールドが、それらのメモリに与えられ得る。第２の不揮発性メモリ９のメモリフィールド９ａから９ｅは、個々にアドレスされることができる。第１の不揮発性メモリ１０は１つの共通メモリアドレスのみを有する。新しく蓄積されたナビゲーションパラメータは、最初に、第１の不揮発性メモリ１０の上方のメモリフィールド１０ａに書き込まれる。その後の蓄積過程で、新しいナビゲーションパラメータは、第１の不揮発性メモリ１０の上方のメモリフィールド１０ａに書き込まれ、既に第１の不揮発性メモリ１０にあるナビゲーションパラメータは１メモリフィールド下に移動される。即ち、メモリフィールド１０ａのナビゲーションパラメータは、メモリフィールド１０ｂに移動され、メモリフィールド１０ｂのナビゲーションパラメータは、メモリフィールド１０ｃに移動される。最も下のメモリフィールド１０ｇに蓄積されたナビゲーションパラメータは、続く新しい蓄積過程で消去される。このように、第１の不揮発性メモリ１０には最後に蓄積された７個の一般ナビゲーションパラメータが存在する。
【００２０】
図３は、ＤＶＤ規格に基づいた記録担体に書きこむ処理を示すフローチャートを示す図である。この書き込み処理は、光学的レコードプレーヤ２に光記録担体３が挿入されたときにはいつでも行われる。
第１ブロック２０は、記録担体挿入を表す。即ち、図１で、光記録担体３が光学的レコードプレーヤ２に挿入される。続いて、ブロック２１で、供給者ＩＤが書き込まれる。供給者ＩＤは、ＤＶＤ記録担体の定義された位置に標準形式で蓄積された特有情報である。供給者ＩＤを参照して、続いてステップ２２で、光学的レコードプレーヤ２はＤＶＤ規格に従って動作すべきか、或は供給者ＩＤに従って供給者よって規格外動作が求められているかを検査する。このために、ブロック２２で供給者ＩＤの最後の４つの文字が検査される。これらの４つの文字が、所定の文字の組合せ、例えば、ＧＲＰＭの文字の組合せの時には、供給者が、規格外再生動作即ち、一般ナビゲーションパラメータの不揮発性メモリを供給したことを、光学的レコードプレーヤ２は認識する。
【００２１】
ＤＶＤ規格に従って、一般ナビゲーションパラメータは再生過程の開始時と終了時にゼロに設定される。それゆえ、ＤＶＤ装置の標準動作の場合には、ＣＤの再生過程に関するデータを蓄積すること及び、後の段階で再生に利用できるようにすることははできない。この可能性は、光学的レコードプレーヤ２の規格外動作により提供される。供給者ＩＤの最後の４文字がＧＲＰＭと異なる場合には、図３のブロック２３に示されるように、光学的レコードプレーヤは標準ＤＶＤ動作に切り替わる。供給者ＩＤの最後の４文字がＧＲＰＭと等しい場合には、光学的レコードプレーヤはＤＶＤ規格に従って動作すべきでない、即ち、一般パラメータは再生過程の開始時と終了時にゼロに設定されるべきではないと判断する。ブロック２４では、最初に記録担体から、記録担体識別番号が読み出される。この記録担体識別番号は、記録担体の定義された場所に蓄積されている。後続するステップ２５で、記録担体識別番号が、光学的レコードプレーヤに知られているかどうか、即ち、一般ナビゲーションパラメータはこの記録担体識別番号の下で、第２の不揮発性メモリに既に蓄積されているかどうかが検査される。蓄積されていない場合には、ステップ２６で、記録担体識別番号は記録担体識別フィールド９ａ1 から９ｅ1 の１つに書きこまれ、割り当てられたメモリフィールドは、割り当てられたナビゲーションパラメータの蓄積のために初期化される。このために、占有されていないメモリフィールド９ａから９ｅの１つが選択される。すべてのメモリフィールド９ａから９ｅが情報で占められているときには、最も古い情報を有するメモリフィールドが消去され、新しい記録担体識別番号のために、利用できるようにされる。同様に、認識されたメモリフィールドのためにアクセス経路が形成される。
【００２２】
ブロック２５で、記録担体識別番号が知られており、第２の不揮発性メモリ９にこの記録担体識別番号のための一般ナビゲーションパラメータが蓄積されていると判断されたときには、ステップ２７で、関連する記録担体識別番号に割り当てられた一般ナビゲーションパラメータが蓄積されているメモリフィールド９ａから９ｅのメモリフィールドに対するアクセス経路が形成される。
【００２３】
ブロック３０で示される後続する再生過程では、記録担体の前の再生過程の開始時と終了時に蓄積された一般ナビゲーションパラメータは、現在利用可能である。
図４は、ＤＶＤ記録担体の再生中に、第２の不揮発性メモリ９から一般パラメータをロードすることと、第２の不揮発性メモリ９と第１の不揮発性メモリ１０に一般パラメータを書きこむフローチャートを示す図である。蓄積とロードは制御回路６によって制御される。最初に、光学的レコードプレーヤ２は、第２の不揮発性メモリ９と第１の不揮発性メモリ１０に関して待ち状態３０である。この待ち状態３０中に、光記録担体３の再生過程が発生する。即ち、制御回路６は、光学的読み出しユニット４と復号器５から連続して情報を供給される。制御回路６に与えられた情報に従って、レジスタ６ａのメモリフィールド６ｂに蓄積された一般ナビゲーションパラメータも変化し得る。一般ナビゲーションパラメータを変化させることは、記録担体の供給者が一般ナビゲーションパラメータを利用する方法に依存する。記録担体の供給者は、記録担体の対応するプログラムシーケンス構造によって、いつ、どのような条件で一般ナビゲーションパラメータがレジスタ６ａから第１の不揮発性メモリ１０及び／又は第２の不揮発性メモリ９に書き込まれるべきであるかを決定できる。このために、２つの特定コマンドが設けられ、制御回路６により認識される第１の制御コマンドとして、値ゼロのレジスタ６ａのメモリフィールド６ｂへの加算が設けられる。制御回路６は、レジスタ６ａに影響を与えないそのような制御コマンドは、光記録担体３から供給されるデータストリームに存在していたことを認識する。「レジスタ６ａのメモリフィールド６ｂにゼロを加算する」この結果は、図４のフローチャートの参照番号３１で示される。この結果３１が発生したときは、制御回路６は、レジスタ６ａのメモリフィールド６ｂに蓄積された一般パラメータを、関連する記録担体識別番号の下に、第１の連続不揮発性メモリ１０の上方メモリフィールド１０ａと同時に、第２の不揮発性メモリ９に蓄積する。これは図４のブロック３３に示されている。この蓄積後、光学的レコードプレーヤ２は、再び待ち状態３０となる。第１の不揮発性メモリ１０に関する更なる制御コマンドは、「メモリフィールド６ｂに蓄積された一般ナビゲーションパラメータからゼロを減算する」制御コマンドである。この結果は、図４のフローチャートの参照番号３２で示される。メモリフィールド６ｂに蓄積された一般ナビゲーションパラメータの値は、この「ゼロを引く」コマンドで変更されない。しかし、制御回路６は、光記録担体３から読み出されたデータストリームにそのようなコマンドが存在するときに認識する。この制御コマンドが認識されたとき、制御回路６は、第２の不揮発性メモリ９からレジスタ６ａのメモリフィールド６ｂへ一般ナビゲーションパラメータをロードする。その後、システムは、第２の不揮発性メモリ９と第１の不揮発性メモリ１０の蓄積動作に関して、再び待ち状態３０に変わる。
【００２４】
第２の不揮発性メモリ９と第１の不揮発性メモリ１０に蓄積された一般ナビゲーションパラメータは、双方向インターフェ−ス１５により、外部から読み出され、変更され得る。外部読み出しでは、例えば、コンピュータのような、外部データ処理装置が使用され得る。外部から影響を及ぼすには、例えば、呼び出し器、キーボード又は、バーコードリーダ及び、外部タイマが可能である。
【００２５】
本発明に従ったシステムは、第２の不揮発性メモリ９と第１の不揮発性メモリ１０の中の記録担体の再生過程の結果の蓄積ができ、後の段階で、再生に利用できる。更に、第１の不揮発性メモリ１０は、一般ナビゲーションパラメータの変化の時間シーケンスを記録し、双方向インターフェース１５を介してそれらを読み出し、そして、外部データ処理装置でそれらを評価できる。
【００２６】
さらに、双方向インターフェースは、第２の不揮発性メモリ９に記録担体の再生のための情報を外部から書き込みでき、それにより、外部より、記録担体の再生に影響を及ぼし、制御できる。
【００２７】
【発明の効果】
本発明によれば、記録担体の再生過程の評価が可能な、光学的記録担体にディジタル的に蓄積された情報の再生装置を提供することができる。
【図面の簡単な説明】
【図１】光学的記録担体にディジタル的に蓄積された情報を再生する本発明による装置のブロック図を示す図である。
【図２】レジスタメモリ、不揮発性アドレスメモリ、不揮発性連続バッファメモリでの、ナビゲーションパラメータのメモリ構成を示す図である。
【図３】ＤＶＤ規格に基づいた記録担体に書きこむ動作を示すフローチャートを示す図である。
【図４】ＤＶＤ記録担体の再生中にアドレスメモリ及び／又は連続バッファメモリに一般パラメータを書きこむフローチャートを示す図である。
【符号の説明】
２  光学的レコードプレーヤ
１  光学的レコードプレーヤシステム
３  光学的記録担体
４  光学的読み出しユニット
５  復号器
６  制御回路
７  ＲＡＭメモリ
８  ＲＯＭメモリ
９  第２の不揮発性メモリ
１０  第１の不揮発性メモリ
１１  サーボ系
１２  復号部
１３  ディスプレイ
１４  スピーカシステム
１５  双方向インターフェース
１６  キーボード
１７  外部データメモリ
６ａ  レジスタ
６ｂ  メモリフィールド
９ａ〜９ｅ  メモリフィールド
９ａ1 〜９ｅ1   記録担体識別フィールド
９ａ2 〜９ｅ2   ナビゲーションパラメータフィールド
１０ａ〜１０ｇ  メモリフィールド
【図１】
0004538118.tif 000002
【図２】
0004538118.tif 000003
【図３】
0004538118.tif 000004
【図４】
0004538118.tif 000005